(57)【要約】【課題】浴室の清掃に邪魔なボトル類を仕切り壁に収納することができ、浴室壁面に余計な凹凸をなくし、清掃性に優れた浴室の仕切り壁を提供する。【解決手段】浴室４と脱衣室２を仕切る仕切り壁１であって、該仕切り壁は脱衣室側の所定領域には脱衣室から収納可能な第１凹部１２が形成されると共に、浴室側の前記所定領域以外の領域には第２凹部１５が形成されており、前記第１凹部と第２凹部は連通口により連通され、該連通口にはディスペンサー２１が着脱可能となっている。【選択図】図１
2009203680.tif 000002
【特許請求の範囲】
【請求項１】
浴室と脱衣室を仕切る仕切り壁であって、該仕切り壁は脱衣室側の所定領域には脱衣室から収納可能な第１凹部が形成されると共に、浴室側の前記所定領域以外の領域には第２凹部が形成されており、前記第１凹部と第２凹部は連通口により連通され、該連通口にはディスペンサーが着脱可能となっていることを特徴とする仕切り壁。
【請求項２】
前記第２凹部は前記第１凹部の下方に形成され、前記連通口は第２凹部上面と第１凹部下面とを連通するように設けられていることを特徴とする請求項１に記載の仕切り壁。
【請求項３】
浴室の洗い場に面する浴室壁に突設されたカウンターと隣接していることを特徴とする請求項１又は２に記載の仕切り壁。
【発明の詳細な説明】
【技術分野】
【０００１】
本発明は浴室と脱衣室などを仕切る、仕切り壁に関するものである。
【背景技術】
【０００２】
一般に、浴室には洗い場に面した浴室壁からカウンターが突設されている。このカウンターの正面にはカランが設けられ、給水管や給湯管がカウンターの内部に収納されてカウンターの正面のカランに接続させている。洗い場で入浴者が髪の毛や身体を洗う際にシャンプー等をすぐに手に取って使用することを期して、カウンターの上面にはしばしばシャンプー等のボトルが置かれたりする。しかしながら、シャンプー、リンス、ボディーソープなど洗い場で入浴者が使用する剤の種類は多く、また入浴者が個別に使用する剤もあり、多数のボトルがカウンターの上面に置かれると、浴室の外観が煩雑になってすっきりとした見栄えのよい外観を得ることはできない。そこで従来では、カウンターの上面に開口せる収納凹所をカウンターの内部に形成し、この収納凹所にシャンプー等のボトルを収納することが提案されている（たとえば特許文献１参照）。
【０００３】
また、カウンターの下部にシャンプーなどのボトルを洗い場側且つ斜め上方に向けて収納可能にする収納部を設け、収納部の下部の下面を洗い場床面と間隔を隔てて位置させると共に洗い場側且つ斜め上方に向けて傾斜させて形成することが提案されている（たとえば特許文献２）。
【０００４】
【特許文献１】特開２００１−３５３０９２号公報
【特許文献２】特開２００７−１１７３１７号公報
【発明の開示】
【発明が解決しようとする課題】
【０００５】
しかし前記特許文献１の浴室においては、凹所にシャンプー等のボトルがあるため、凹所を洗うときにボトルを移動させなければならず、また前記特許文献２の浴室においては、収納部を洗うときにボトルを移動させなければならず、浴室を洗浄する場合にボトルが邪魔となっていた。特に浴室を自動洗浄する際に、ボトルが邪魔となり、浴室のカウンターや床、壁面の隅まで洗浄できないといった不具合があった。
【０００６】
この発明は、かかる現状に鑑み創案されたものであって、その目的とするところは、浴室の清掃に邪魔なボトル類を仕切り壁に収納することができ、浴室壁面に余計な凹凸をなくし、清掃性に優れた浴室の仕切り壁を提供することである。
【課題を解決するための手段】
【０００７】
上記目的を達成するため、請求項１に記載の浴室の仕切り壁にあっては、浴室と脱衣室を仕切る仕切り壁であって、該仕切り壁は脱衣室側の所定領域には脱衣室から収納可能な第１凹部が形成されると共に、浴室側の前記所定領域以外の領域には第２凹部が形成されており、前記第１凹部と第２凹部は連通口により連通され、該連通口にはディスペンサーが着脱可能となっている。この特徴によれば、脱衣室側の第１凹部には、仕切り壁の厚みより小さいディスペンサーを収納できるため、浴室内にシャンプー等のボトルを設置するスペースが必要ないので、浴室内を広く使用でき、またボトル類自体が浴室内に存在しないため、浴室の清掃が容易となる。また、天井に噴射ノズル等を設けた浴室自動洗浄機を使用した場合にも、壁面に余計な凹凸がないため、ボトルで隠れた壁面を洗浄できないといった不都合もなくなる。
【０００８】
請求項２に記載の発明にあっては、請求項１に記載の浴室の仕切り壁を技術的前提とし、前記第２凹部は前記第１凹部の下方に形成され、前記連通口は第２凹部上面と第１凹部下面とを連通するように設けられていることを特徴とする。この特徴によれば、浴室側の凹部に水が入っても、連通口が上面にあるので、誤って脱衣室側に流れていくことが無い。
【０００９】
請求項３に記載の発明にあっては、請求項１又は２に記載の浴室の仕切り壁を技術的前提とし、浴室の洗い場に面する浴室壁に突設されたカウンターと隣接していることを特徴とする。この特徴によれば、カウンター９を正面にして、風呂イスなどに座った状態で洗髪や洗顔、髭剃り等を行っている入浴者は、手を伸ばして届く位置にシャンプー、リンス、ボディーソープ等が吐出されるポンプ２３があるため、容易に所望の剤を使用することが出来る。
【発明の効果】
【００１０】
以上説明したように、本発明はシャンプー等のボトルを設置するスペースが必要なく、またボトル類自体が浴室内に存在しないため、浴室の清掃が容易となる。
【発明を実施するための最良の形態】
【００１１】
以下、添付図面に示す発明の実施例に基づき、この発明を詳細に説明する。
【実施例】
【００１２】
図１は、本発明の浴室の仕切り壁に係り、浴室と脱衣室の間に配置された仕切り壁を脱衣室側から見た斜視図、図２は浴室と脱衣室の間に配置された仕切り壁を浴室側から見た斜視図、図３は浴室と脱衣室の間に配置された仕切り壁の要部を示す断面図、図４は他の実施例における浴室と脱衣室の間に配置された仕切り壁の要部を示す断面図である。
【００１３】
図１において符号１は仕切り壁を示し、この仕切り壁１は、脱衣室２と浴室４を仕切るように配設されており、側面には出入口５が配置されている。また、浴室４の洗い場３に面する浴室壁７にはカウンター９が突設されている。本例では、カウンター９は、浴槽２０と仕切り壁１との間に亙るように設けられており、入浴者が跨ぐことが可能な浴槽２０の上面２０ａよりも多少低い位置にその上面位置が位置するように形成されている。また、カウンター９の上方には、ミラー２１とシャワー２５が設けられており、入浴者は、カウンター９を正面にして、洗髪や洗顔、髭剃り等を行うことができる。
【００１４】
仕切り壁１は、脱衣室２側の中間より上方には脱衣室２側から収納可能な収容部６が設けられ、収納部６は洗濯機８等があっても取り出しが容易にできるように洗濯機８上面より上方に配置されており、背板１４と棚等で構成された箱状のもので、内部に例えば水平棚６ａ、６ｂが上下に配置されている。その下方には複数のボトルタンク２２が載置可能な第１凹部１２が形成されており、更にその下方には平坦な背板１３が取り付けられている。ボトルタンク２２は仕切り壁１の厚みより小さく形成されている。また、図２に示すように、浴室４側の中間より下方には第２凹部１５が設けられると共にその上方には平坦な背板１４が取り付けられている。
【００１５】
図３において、第１凹部１２と第２凹部１５は隔壁１６によって隔てられており、第１凹部１２の下面と第２凹部１５の上面は隔壁１６によって形成されている。また、隔壁１６には連通口としての貫通孔１６ａが設けられている。この貫通孔１６ａには、ボトルタンク２２とポンプ２３で構成されるディスペンサー２１が取り付けられる。詳しくは、第１凹部１２側の貫通孔１６ａには、ボトルタンク２２の下部開口２２ａが挿入され、第２凹部１５側の貫通孔１６ａには、ポンプ２３が取り付けられる。下部開口２２ａの外周には雄ネジが形成され、ポンプ２３の内周には雌ネジが形成されているため、ボトルタンク２２とポンプ２３で隔壁１６を挟んだ状態で螺合することにより固定される。また、ボトルタンク２２には、上部開口２２ｂが設けられており、この上部開口２２ｂにはキャップ２２ｃが着脱可能になっている。したがって、シャンプー等の内容物の残量が少なくなった場合には、このキャップ２２ｃを取り外して、脱衣室２側から内容物を補充することができる。更に、ボトルタンク２２を透光性材質により形成することで、残量の確認が容易となる。また、第２凹部１５の下辺１５ａは、水捌けのために下方に傾斜する傾斜面が形成されている。
【００１６】
隔壁１６は仕切り壁１の取付部１７に着脱可能となっている。したがって、ディスペンサー２１を洗浄する場合は、ディスペンサー２１に隔壁１６が取り付いた状態で隔壁１６を仕切り壁１から取り外した後、ディスペンサー２１のポンプ２３を下部開口２２ａから取り外すことで、ディスペンサー２１を分解することができ、ディスペンサー２１の内部を洗浄することができる。
【００１７】
尚、ディスペンサー２１はポンプ２３を押すことによりボトルタンク２２内の圧力が上昇し、ボトルタンク２２内の剤がポンプ２３の先端２３ａから吐出される公知のディスペンサーである。
【００１８】
さらに、背板１４は、透光性を有する材質としてプラスチックまたはガラスで構成されており、隣接する部屋の灯りを採光することができるようになっている。また、背板１４の下方に位置する背板１９を透光性材質により形成することにより、浴室内からでもシャンプー等の残量が確認できる。
【００１９】
また、ディスペンサー２１は複数設けられているが、ポンプ２３をそれぞれ異なる色で形成したり、背板１９にネームプレートを取り付けることによって、浴室４内からポンプ２３のみ視認できる入浴者に対し、ボトルタンク２２内の内容物を認識させることが可能となる。
【００２０】
以上のように構成することで、風呂イスなどに座った状態でカウンター９を正面にして、洗髪や洗顔、髭剃り等を行っている入浴者は、手を伸ばして届く位置にシャンプー、リンス、ボディーソープ等が吐出されるポンプ２３があるため、容易に所望の剤を使用することが出来る。また、ボトル類が浴室内に存在しないため、浴室内を広く使用でき、浴室の壁面や床、カウンター等を洗浄する際にも、洗浄の邪魔になるものがなく、作業効率が向上する。更に、天井に噴射ノズル等を設けた浴室自動洗浄機を使用する場合にも、壁面に余計な凹凸がないため、壁面や床の隅々まで洗浄剤が行き届き、ボトルで隠れた壁面や床が洗浄できないといった不都合もなくなる。
【００２１】
また、図４には本発明の他の実施例を示す。本実施例の仕切り壁１´は、脱衣室２側の中間より上方には脱衣室２側から収納可能な収容部６が設けられ、その下方には平坦な第１背板１８ａが取り付けられ、更にその下方には複数のボトルタンク２２が収容可能な第１凹部１２が形成されており、更にその下方には平坦な第２背板１８ｂが取り付けられている。また、浴室４側の中間より下方には、第２凹部１５が設けられると共にその上方には平坦な背板１４が取り付けられている。
【００２２】
本実施例では、第１凹部１２は第２凹部１５の下方に位置しており、仕切り壁１´の取付部１７に着脱可能となっている隔壁１６によって隔てられ、隔壁１６には連通口としての貫通孔１６ａが設けられている。この貫通孔１６ａにはディスペンサー２１が取り付けられる。また、第２凹部１５の下辺１５ａは、水捌けのために下方に傾斜する傾斜面が形成されている。
更に、吐出部２３ａの下方が上記傾斜面により広く形成されていることにより、手やスポンジに剤を取りやすい構成となり、また、吐出部２３ａから剤が垂れても、傾斜面を伝って下方へ流れていくので、剤が第２凹部１５内に溜まることがない。
【００２３】
尚、上記の実施例における仕切り壁１、１´は、第１凹部１２と第２凹部１５を仕切り壁１に着脱可能な隔壁１６によって隔てているが、隔壁１６は仕切り壁１、１´と一体で形成されている場合も本発明に含まれる。
【図面の簡単な説明】
【００２４】
【図１】本発明の浴室の仕切り壁に係り、浴室と脱衣室の間に配置された仕切り壁を脱衣室側から見た斜視図である。
【図２】浴室と脱衣室の間に配置された仕切り壁を浴室側から見た斜視図である。
【図３】浴室と脱衣室の間に配置された仕切り壁の要部を示す断面図である。
【図４】他の実施例における浴室と脱衣室の間に配置された仕切り壁の要部を示す断面図である。
【符号の説明】
【００２５】
１、１´        仕切り壁
２              脱衣室
３              洗い場
４              浴室
５              出入り口
６              収容部
７              浴室壁
８              洗濯機
９              カウンター
１２            第１凹部
１３、１４      背板
１５            第２凹部
１６            隔壁
２０            浴槽
【図１】
2009203680.tif 000003
【図２】
2009203680.tif 000004
【図３】
2009203680.tif 000005
【図４】
2009203680.tif 000006